(57)【要約】【課題】  建設工事現場において各工程，測点毎に必要となる看板的表示を電子的手段によって行い、関係官庁への提出書面の正確さと現場での作業の簡易化と工事作業全体の効率化を図る工事内容を表示出力する電子的表示装置を提供する。【解決手段】  全ての工事内容を予め入力すると共に追加，変更項目を入力して記載する情報信号発信部１からの情報はＵＳＢや無線を介して工事現場に設置されているディスプレイ２に表示される。このディスプレイ２の表示内容や現場での工事状況等は撮影手段３により撮影され、これ等のプリントアウトされた書面は整理されて関係官庁５に提出される。【選択図】図１
0003175793.tif 000002
【実用新案登録請求の範囲】
【請求項１】
施工主の請け負った建設工事の内容，実施状況，進行状況や完成状態等を工事の測点及び工程毎に明示すると共にその状況を撮影し、工事終了時にこれ等を整理して関係官庁に提出するために使用する工事状況表示装置であって、該装置は、実施される工事の内容及びその変更や追加内容をメモリに入力させるか又は無線発信するかを行う情報信号発信部と、工事現場に移動可能に設置され前記情報信号発信部からの情報内容を電子的に表示する単一のディスプレイと、工事状況を撮影する撮影手段と、前記ディスプレイの表示内容を出力するプリンタとからなることを特徴とする工事内容を表示出力する電子的表示装置。
【考案の詳細な説明】
【技術分野】
【０００１】  本考案は、工事内容を工事を行っている現場において測点毎に電子的に表示し、その状況を撮影して工事完了時に整理して関係官庁に提出するために使用する工事内容を表示出力する電子的表示装置に関する。
【背景技術】
【０００２】  工事内容としては各種のものがあるが、従来よりその工事内容について測点毎及び工程毎に工事現場において明示する看板が必ず必要であり、看板に表示された及び工事内容，状況等は撮影されて整理され工事終了時において工事内容，状況，完成状態等を関係官庁に提出することが義務付けられている。【０００３】  例えば、図４に示すように堀削，砕石，下層形成，上層形成油引き，アスファルト施工，表面仕上げ，表面の必要線引等の工事や作業を行う工事の現場において、それ等の内容や状況，中間状況，完成状態等を看板に表示することが義務付けられている。この看板は図３に示すように測点毎に行う必要がある。【０００４】  即ち、図３に示すように工事はＢＰ（Ｂａｓｅ  Ｐｏｉｎｔ）からＥＰ（Ｅｎｄ  Ｐｏｉｎｔ）まで行われ、その間にＮｏ１からＮｏｎまでの測点が決められ、前記の看板や撮影は測点毎に行うことが義務付けられている。
測点の数が多い工事では看板の数は膨大のものになり、かつその表示のための作業に大変な時間を必要とする問題点があると共に写真撮影には大変な技術と労力が必要となる。【０００５】  従来の看板１００としては図２に示すようなものが一例として挙げられる。即ち、看板１００は適宜面積（大体の寸法が決まっている）の板材７と、この支柱８とからなり、板材７の表面には工事名，測点，工程，施工主等を記載する記載欄があると共に、その工事における必要内容がその都度記載される。例えば、図２ではある測点における砕石作業における寸法を記入する欄があり、ここには予め定められている巾寸法（例えば、２５０ｃｍ）や深さ（１５０ｃｍ）等の設計値とこれに対する実測値が赤色で記載される。この赤色の記載は現場で行われチョークやマジックペンを用いて作業責任者等が記載している。
また、この記載内容は全て撮影することが必要となり、その撮影内容や撮影現場も夫々予め定められている。
【先行技術文献】
【特許文献】
【０００６】  看板としては各種のものがあり、市販されているが、工事場において使用されている看板の公知技術としては殆どなく、「特許文献１」に示すものが一例として挙げられるが前記のような内容を記載する看板の公知技術は見当らない。
【特許文献１】実用新案登録第３１２７６９０号（図１）
【０００７】  「特許文献１」の「実用新案登録第３１２７６９０号」は「風抜けメッシュシート使用の工事案内看板」であり、風抜けが行われて看板が倒れないようにするものからなり、表面に記載する内容について開示するものではないが、恐らくこの看板にも前記した工事内容を記載する必要があるものと思われる。
【考案の概要】
【考案が解決しようとする課題】
【０００８】  図２に示した看板１００の場合は、前記したように現場において測点毎に必要な工事内容等をチョーク等を用いて記入する必要があり、極めて面倒であると共に折角記載した内容が雨水等により消減したり、人的に不明瞭になる問題点が発生する。また、記載内容についても必ずしも統一されたものではなく、人により記載内容の優劣もあり、字体筆跡も異なり、そのまま関係官庁に提出できないものも多く存在している。
また、測点毎及び工事毎に撮影が必要であり、特別のカメラマン等が必要になると共に膨大な経費が必要となる問題点がある。また、工事完了時には図５に示すようなコーン６を現場から堀り出してテストすることが必要となる。
また、工事完了後に各測点毎，作業内容毎の書面とその写真が必要となり、これを整理して関係官庁に提出する必要があるが、この作業は極めて煩雑であり、仮に整理内容が不具合の場合には返却され、再度提出することが必要となる。
以上のことから工事看板としては手書きのものでなく、個人差がなく綺麗に明確に表示され、完成品として手直し等もない案内板の如き表示装置が強く要請されていたが従来ではこの要請に答えるものはなかった。【０００９】  本考案は、以上の要請に鑑みて考案されたものであり、電子的に表示される単一のものからなり、測点毎の移動も出来、工事の追加，変更も正確に出来、撮影も容易であり、全体を綺麗にまとめることができ、整理も簡単で関係官庁の満足も得られる工事内容を表示出力する電子的表示装置を提供することを目的とする。
【課題を解決するための手段】
【００１０】  本考案は、以上の目的を達成するために請求項１の考案は、施工主の請け負った建設工事の内容，実施状況，進行状況や完成状態等を工事の測点及び工程毎に明示すると共にその状況を撮影し、工事終了時にこれ等を整理して関係官庁に提出するために使用する工事状況表示装置であって、該装置は、実施される工事の内容及びその変更や追加内容をメモリに入力させるか又は無線発信するかを行う情報信号発信部と、工事現場に移動可能に設置され前記情報信号発信部からの情報内容を電子的に表示する単一のディスプレイと、工事状況を撮影する撮影手段と、前記ディスプレイの表示内容を出力するプリンタとからなることを特徴とする。
【考案の効果】
【００１１】  本考案の請求項１の工事内容を表示出力する電子的表示装置によれば、工事内容が現場においてディスプレイ上に電子的に表示され、追加，変更も容易に出来、雨水等による消減もなく、現場でのチョーク等による面倒な記載もなく、全体が綺麗にまとめられ、移動可能のため単一のものでよく、撮影も簡単に、かつ正確にでき、関係官庁への提出書類としても綺麗に、かつ正確にまとめられ、関係官庁からの手直しもなく、喜ばれる効果を上げることができる。
【図面の簡単な説明】
【００１２】
【図１】本考案の工事内容を表示出力する電子的表示装置の全体構成を示す構成図。
【図２】看板に表示される内容の一例を示す模式的正面図。
【図３】工事における測点等を説明するための模式的平面図。
【図４】工事内容の一例を示す断面図。
【図５】コーンテストのために必要なコーンを示す模式図。
【考案を実施するための形態】
【００１３】  以下、本考案の工事内容を表示出力する電子的表示装置の実施の状態を図面を参照して説明する。
図１に示すように、本考案の工事内容を表示出力する電子的表示装置２００は大別して情報信号発信部１と、ディスプレイ２と、撮影手段３及びプリンタ４等とから構成されている。
【００１４】  情報信号発生部１は予め決められてる工事内容を入力，記憶する構成部を有すると共にこの記憶内容はその後の追加や変更にも対応可能の構造のものからなる。また、この情報信号発生部１のメモリの内容は、例えばＵＳＢ等に入力されて現場のディスプレイ２に手行で表示されると共にこの情報信号発生部１がディスプレイ２に対して遠隔地にある場合にはメモリをディスプレイ２側に無線発信する発信機能を有するものであってもよい。
【００１５】  ディスプレイ２はパソコン的のものであってもよく、ＵＳＢや無線によるメモリを入力して表示する機能を有するものであり、工事現場に設置されるが、測点毎に移動可能であり、単一のものでよい。このディスプレイ２は従来の看板１００の表示内容を表示するものであり、工事現場における測定結果等については現場で入力できるパソコン的機能を有するものが望ましい。
このディスプレイ２を測点毎に移動し、測点における夫々の作業内容を表示させることが出来、測定結果も入力できるため現場において従来のように手動による記載等は一切不要となる。また、電子的の表示のため個人差は勿論なく、風雨等や人力等による消減も生じない。また、目視が明確に出来、工事内容を明確に把握することが出来る。
【００１６】  撮影手段３はカメラであり、撮影はディスプレイの表示内容や現場における工事内容，進行状況や完成状況が撮影される。この作業も従来の看板１００の場合に対して容易に、迅速に、かつ正確に行われる。
【００１７】  ディスプレイ２の表示内容や撮影手段３による写真もプリンタ４を介して書面として表示されるため、この書面を基にして関係官庁５への提出書面を容易に、かつ綺麗に整理することが出来る。
【００１８】  例えば、図４に示すような工事が完了した場合、最終的にはコーンテストが必要となり、図４における最上面の部分から図５に示すようなコーン６が注出される。このコーン６の寸法大きさも標準化され、その強度テストも標準化されている。この強度テストのデータも勿論、関係官庁５へ提出される。
【００１９】  関係官庁５においても提出書面が正確で綺麗なものからなるため手直し等が不必要となり、全工程が円滑に行われ、関係者に喜びを与えることが出来る。よって、工事完了の期間の短縮化を図ることが出来る。
【００２０】  本考案の内容は、以上の説明のものからなるが、本考案は以上の内容に限定されるものではなく、同一技術的範囲のものが適用されることは勿論である。
【産業上の利用可能性】
【００２１】  本考案は、建設工事の全ての現場において適用されると共に、建設工事に類する現場作業においても適用されその利用範囲は広い。
【符号の説明】
【００２２】１      情報信号発生部
２      ディスプレイ
３      撮影手段
４      プリンタ
５      関係官庁
６      コーン
７      板材
８      支柱
１００  看板
２００  工事内容を表示出力する電子的表示装置
【図１】
0003175793.tif 000003
【図２】
0003175793.tif 000004
【図３】
0003175793.tif 000005
【図４】
0003175793.tif 000006
【図５】
0003175793.tif 000007